(57)【要約】【課題】電線束から複数の枝線が近接して分岐する場合でも、隣り合う枝線部間で配置や移動が制限されない、作業性に優れたコルゲートチューブ装着治具を提供する。【解決手段】電線受け部１１と、電線束１の軸線Ｃに対し傾斜しつつ電線受け部１１に一体に支持された一対のガイドレール部１２とを備え、一対のガイドレール部１２によりコルゲートチューブ２０をそのスリット２１の延在方向に案内しつつスリット２１を拡開させるコルゲートチューブ装着治具であって、電線受け部１１が、電線束１を間に挟んで対向する一対の側板部分１５を有しており、これらうち少なくとも一方が、電線束１に沿う一辺側部分１５ａで電線束１の周方向に湾曲するとともに、一対の側板部分１５が、電線束１から離れる対向辺側部分１５ｂであってスリット２１に対する一対のガイドレール部１２の挿入端部分１３の近傍で互いに連結されている。【選択図】図１
2016111737.tif 000002
【特許請求の範囲】
【請求項１】
電線束を受ける電線受け部と、前記電線束の軸線に対し傾斜しつつ前記電線束を間に挟んで対向するように前記電線受け部に一体に支持された一対のガイドレール部とを備え、前記一対のガイドレール部によりスリット付のコルゲートチューブを該スリットの延在方向に案内しつつ前記スリットを拡開させることで、前記コルゲートチューブを前記電線束に装着させるコルゲートチューブ装着治具であって、
前記電線受け部が、前記電線束を間に挟んで対向するように保持される一対の側板部分を有しており、
該一対の側板部分のうち少なくとも一方が、前記電線束に沿う一辺側で前記電線束を受けるよう前記電線束の周方向に湾曲するとともに、該一対の側板部分が、前記電線束から離れる対向辺側であって前記スリットに対する前記一対のガイドレール部の挿入端の近傍で互いに連結されていることを特徴とするコルゲートチューブ装着治具。
【請求項２】
前記電線受け部の前記一対の側板部分は、前記電線束に沿う一辺側の一端部により、前記電線束から分岐する枝線部に前記電線束の長さ方向の一方側から係合する第１凹状部を形成し、前記電線束に沿う一辺側の他端部により、前記電線束から分岐する枝線部に前記電線束の長さ方向の他方側から係合する第２凹状部を形成していることを特徴とする請求項１に記載のコルゲートチューブ装着治具。
【請求項３】
前記一対の側板部分が、前記対向辺側で一体に結合された合成樹脂製の弾性板部材によって構成されており、前記一辺側で所定間隔に離間する復帰姿勢と前記一辺側で前記電線束を間に挟んで対向する撓み姿勢とをとることを特徴とする請求項１または２に記載のコルゲートチューブ装着治具。
【発明の詳細な説明】
【技術分野】
【０００１】
本発明は、コルゲートチューブ装着治具に関し、特にワイヤハーネスの電線束にコルゲートチューブを所定の外装姿勢に装着する際に用いるコルゲートチューブ装着治具に関する。
【背景技術】
【０００２】
自動車用ワイヤハーネスの電線束（束状の電線群）に外装される部品の一つとしてコルゲートチューブが一般に使用されており、比較的長い電線束の途中や電線束から枝線（支線）が分岐した部分などにも外装可能なスリット付きのコルゲートチューブも多用されている。そして、このスリット付きのコルゲートチューブの電線束への装着作業を容易にするコルゲートチューブ装着治具が従来から知られている。
【０００３】
この種のコルゲートチューブ装着治具としては、手指で撓ませることができる程度の合成樹脂製の板材からなり、電線束に沿って電線束を収納可能な略Ｕ字形断面の電線受け部と、電線受け部の一対の側壁板部分の上辺側の端縁部分を電線束の軸線方向に対し傾斜させるとともに略Ｕ字形断面の入口の両外側方に屈曲させたガイドレール部を備えたものが知られている（例えば、特許文献１、２参照）。
【０００４】
この装着治具では、電線束を電線受け部に収納した状態で一対の側壁板部分の上辺側を接近させ、ガイドレール部をコルゲートチューブのスリット内に挿入するようにコルゲートチューブを電線束に対し移動させることで、コルゲートチューブをガイドレール部が挿入された一端側から順次電線束に外装することができる。
【先行技術文献】
【特許文献】
【０００５】
【特許文献１】特開平０９−２３７５３０号公報
【特許文献２】特開平１１−１４６５２９号公報
【発明の概要】
【発明が解決しようとする課題】
【０００６】
しかしながら、前述のような従来のコルゲートチューブ装着治具にあっては、電線受け部の一対の側壁板部分の上辺側の端縁部分を電線束の軸線方向に対し傾斜させてガイドレール部を配置するとともに、一対の側壁板部分を下辺側で結合して電線を受ける略Ｕ字形断面形状にする構成となっていた。
【０００７】
そのため、電線束から複数の枝線部が互いに近接して分岐するような場合に、電線束に沿ったコルゲートチューブ装着治具の移動や配置が隣り合う枝線部の間で制限されてしまい、その配置ができても、コルゲートチューブのうち電線束に最後に装着される装着完了端部でコルゲートチューブ装着治具を取り外し難くなるという問題があった。
【０００８】
また、近接する複数の枝線部を含む電線束の所定区間にコルゲートチューブを外装したい場合、コルゲートチューブ装着治具のガイドレール部をコルゲートチューブに挿入したままではコルゲートチューブ装着治具の電線受け部が装着完了端部側の枝線部に突き当たるため、コルゲートチューブ装着治具による容易な装着作業をコルゲートチューブの全長にわたって継続できないという問題があった。
【０００９】
本発明は、このような従来の課題を解決するためになされたものであり、電線束から複数の枝線部が近接して分岐しているような場合でも、隣り合う枝線部の間で配置や移動が制限されない、作業性に優れたコルゲートチューブ装着治具を提供することを目的とする。
【課題を解決するための手段】
【００１０】
本発明は、上記目的達成のため、電線束を受ける電線受け部と、前記電線束の軸線に対し傾斜しつつ前記電線束を間に挟んで対向するように前記電線受け部に一体に支持された一対のガイドレール部とを備え、前記一対のガイドレール部によりスリット付のコルゲートチューブを該スリットの延在方向に案内しつつ前記スリットを拡開させることで、前記コルゲートチューブを前記電線束に装着させるコルゲートチューブ装着治具であって、前記電線受け部が、前記電線束を間に挟んで対向するように保持される一対の側板部分を有しており、該一対の側板部分のうち少なくとも一方が、前記電線束に沿う一辺側で前記電線束を受けるよう前記電線束の周方向に湾曲するとともに、該一対の側板部分が、前記電線束から離れる対向辺側であって前記スリットに対する前記一対のガイドレール部の挿入端の近傍で互いに連結されているものである。
【００１１】
したがって、本発明では、電線束に沿う一辺側で連結されない電線受け部の一対の側板部分が、その一辺側で開閉可能となり、電線束から複数の枝線部が近接して分岐しているような場合でも、枝線部の間で配置や移動が制限されずに済むことになる。
【００１２】
また、一対の側板部分が、電線束から離れる対向辺側であってガイドレール部の挿入端（挿入方向の先端）の近傍で互いに連結されているので、ガイドレール部の挿入端側をコルゲートチューブに挿入した状態でも、一対の側板部分を電線束を受ける状態に対向配置でき、その状態で一対の側板部分を片手で保持でき、作業性がよい。
【００１３】
本発明のコルゲートチューブ装着治具において、前記電線受け部の前記一対の側板部分は、前記電線束に沿う一辺側の一端部により、前記電線束から分岐する枝線部に前記電線束の長さ方向の一方側から係合する第１凹状部を形成し、前記電線束に沿う一辺側の他端部により、前記電線束から分岐する枝線部に前記電線束の長さ方向の他方側から係合する第２凹状部を形成しているとよい。
【００１４】
このようにすると、電線束から分岐している二本の隣り合う枝線部の間にコルゲートチューブ装着治具を配置した場合に、移動範囲が広がるとともに、各枝線部の分岐部分に対してコルゲートチューブ装着治具を位置決めでき、作業性がよい。
【００１５】
本発明のコルゲートチューブ装着治具においては、前記一対の側板部分が、前記対向辺側で一体に結合された合成樹脂製の弾性板部材によって構成されており、前記一辺側で所定間隔に離間する復帰姿勢と前記一辺側で前記電線束を間に挟んで対向する撓み姿勢とをとるようにするのが好ましい。
【００１６】
この場合、コルゲートチューブ装着治具が、電線束や、その電線束の外周に巻かれた絶縁テープ、あるいは、電線束に装着するコルゲートチューブ等を傷付け難いものとなる。しかも、コルゲートチューブ装着治具を、低コストに、かつ、コルゲートチューブ装着作業に最適な形状に容易に成形できる。
【発明の効果】
【００１７】
本発明によれば、電線束から複数の枝線部が近接して分岐しているような場合でも、隣り合う枝線部の間で配置や移動が制限されない、作業性に優れたコルゲートチューブ装着治具を提供することができる。
【図面の簡単な説明】
【００１８】
【図１】本発明の一実施の形態に係るコルゲートチューブ装着治具の使用状態の一例を示すそのコルゲートチューブ装着治具および電線束の正面図である。
【図２】本発明の一実施の形態に係るコルゲートチューブ装着治具の上面図である。
【図３】本発明の一実施の形態に係るコルゲートチューブ装着治具の電線受け部を構成する一対の側板部分の展開形状の説明図である。
【図４】本発明の一実施の形態に係るコルゲートチューブ装着治具を使用したコルゲートチューブ装着作業の作業手順を示す斜視図である。
【発明を実施するための形態】
【００１９】
以下、本発明を実施するための形態について図面を参照して説明する。
【００２０】
図１ないし図４に、本発明に係るコルゲートチューブ装着治具の一実施の形態を示している。本実施の形態のコルゲートチューブ装着治具は、自動車用ワイヤハーネスの電線束が互いに近接しつつ幹線部から分岐した複数の枝線部（支線部）を有しており、それら複数の枝線部の分岐部付近を含む電線束の所定の長さ区間の全域にコルゲートチューブを外装する場合に効果的に使用できるものである。
【００２１】
よって、以下、そのような場合を例に説明するが、本実施の形態のコルゲートチューブ装着治具は、枝線部が近接して隣り合うことがない電線束や、枝線部の無い電線束の所定長さ区間にコルゲートチューブを外装する場合にも好適に使用できるものである。
【００２２】
図１に示すように、本実施形態のコルゲートチューブ装着治具１０は、スリット付きのコルゲートチューブ２０を、電線束１に装着する作業に使用される治具であり、手指で撓ませることができる程度の可撓性を有している。
【００２３】
このコルゲートチューブ装着治具１０は、電線束１をその外周面１ｆの一部で受ける電線受け部１１と、電線束１の中心軸線Ｃに対し傾斜しつつ電線束１を間に挟んで対向するように電線受け部１１に一体に支持された一対のガイドレール部１２Ｌ、１２Ｒと、これら一対のガイドレール部１２Ｌ、１２Ｒの常時隣接した挿入端を構成する挿入ガイド部１３とを備えている。
【００２４】
一対のガイドレール部１２Ｌ、１２Ｒは、スリット付のコルゲートチューブ２０をそのスリット２１の延在方向であるガイドレール部１２Ｌ、１２Ｒの長さ方向に案内することができ、かつ、電線束１の周囲でスリット２１を拡開させることができる湾曲形状をなしている。
【００２５】
また、図２に示すように、挿入ガイド部１３は、コルゲートチューブ２０のスリット２１に対する挿入方向の先端側(図２中の右端側)が細くなっており、その挿入方向の後端側がガイドレール部１２Ｌ、１２Ｒに連続するか、近接している。
【００２６】
具体的には、図２に示すように、コルゲートチューブ装着治具１０の電線受け部１１は、電線束１を間に挟んで対向するように作業者の手で保持される一対の側板部分１５、１６を有している。
【００２７】
図３にそれらの平面展開形状を仮想線で示すように、一対の側板部分１５、１６は、挿入ガイド部１３から電線束１の中心軸線Ｃに対し略対称に配置されており、一対の側板部分１５、１６の双方が、電線束１に沿うそれらの一辺側部分１５ａ、１６ａで電線束１を受けるよう電線束１の周方向に湾曲しつつ互いに接近している。
【００２８】
また、一対の側板部分１５、１６は、電線束１から離れる対向辺側部分１５ｂ、１６ｂであってスリット２１に対する一対のガイドレール部１２Ｌ、１２Ｒの挿入端（挿入方向の先端）の近傍で、互いに一体に連結されている。
【００２９】
より具体的には、一対の側板部分１５、１６は、それらの対向辺側部分１５ｂ、１６ｂで一体に結合された合成樹脂製の弾性板部材によって構成されている。
【００３０】
そして、一対の側板部分１５、１６は、通常は、それらの一辺側部分１５ａ、１６ａで所定間隔に離間する復帰姿勢をとり、手指等によりそれらの一辺側部分１５ａ、１６ａで電線束１を間に挟んで挟圧保持されるときには、電線束１の外周面１ｆに接触するようそれらの一辺側部分１５ａ、１６ａを接近させる撓み姿勢をとるようになっている。
【００３１】
また、一対の側板部分１５、１６は、電線束１に沿う一辺側部分１５ａ、１６ａの一端部１５ｃ、１６ｃにより、電線束１の幹線部１ａから分岐する枝線部１ｂ（枝線部１ｃでもよい）に対して電線束１の長さ方向の一方側（図１中の右側）から係合する第１凹状部１７を形成するようになっている。
【００３２】
さらに、一対の側板部分１５、１６は、電線束１に沿う一辺側部分１５ａ、１６ａの他端部１５ｄ、１６ｄにより、電線束１から分岐する枝線部１ｃ（枝線部１ｂでもよい）に対して電線束１の長さ方向の他方側（図１中の左側）から係合する第２凹状部１８を形成するようになっている。
【００３３】
加えて、一対の側板部分１５、１６には、電線束１を受ける際に電線束１に当接する壁面部分の近傍に、あるいは、一対の側板部分１５、１６の重心付近に位置する貫通穴１５ｅ、１６ｅが形成されている。
【００３４】
これら貫通穴１５ｅ、１６ｅは、コルゲートチューブ装着治具１０の一対の側板部分１５、１６を電線束１に沿う一辺側部分１５ａ、１６ａで圧接させつつ電線束１の外周面１ｆに沿って湾曲させるのに適した押圧位置に近接して配置されており、コルゲートチューブ装着治具１０を使用しないときにワイヤハーネスの電線束１を配索用の図板上の突起等に係止するのに使用できるし、コルゲートチューブ装着治具１０の使用時における電線束１の受け位置や手指等での保持位置の目安にもなり得る。
【００３５】
なお、配索用の図板とは、ワイヤハーネスの電線束１を構成する複数の電線を所定の配索パターン形状に布線する作業時に使用する治具付きの板状の作業台である。
【００３６】
次に、コルゲートチューブ装着治具１０を使用するコルゲートチューブ２０の電線束１への装着作業について説明する。
【００３７】
まず、図４（ａ）に示すように、電線束１の幹線部１ａから分岐する枝線部１ｂの近傍にコルゲートチューブ装着治具１０を配置する。
【００３８】
次いで、図４（ｂ）に示すように、電線受け部１１を構成する一対の側板部分１５、１６の一辺側部分１５ａ、１６ａを電線束１の外周面１ｆに沿わせつつ圧接させ、電線受け部１１の両側に第１凹状部１７および第２凹状部１８を形成する。そして、第１凹状部１７を例えば電線束１の枝線部１ｂに対して電線束１の長さ方向の一方側（図４（ｂ）中の右側）から係合させる。
【００３９】
この状態においては、コルゲートチューブ装着治具１０の一対のガイドレール部１２Ｌ、１２Ｒが、コルゲートチューブ２０をそのスリット２１の延在方向であるそれらの長さ方向に案内でき、かつ、電線束１の周囲でスリット２１を拡開させることができる略楕円形の湾曲形状をなしている。
【００４０】
このとき、コルゲートチューブ装着治具１０の挿入ガイド部１３をコルゲートチューブ２０のスリット２１に挿し込んでおいてもよい。
【００４１】
次いで、図４（ｃ）に示すように、一対のガイドレール部１２Ｌ、１２Ｒをコルゲートチューブ２０のスリット２１に挿入するとともに、コルゲートチューブ２０をガイドレール部１２Ｌ、１２Ｒの長手方向に押し込む。
【００４２】
このとき、一対のガイドレール部１２Ｌ、１２Ｒが、コルゲートチューブ２０をそのスリット２１の延在方向であるそれらの長さ方向に案内しつつ、電線束１の周囲でスリット２１を拡開させる。
【００４３】
したがって、コルゲートチューブ２０をガイドレール部１２Ｌ、１２Ｒの長手方向に深く押し込むのに伴って、コルゲートチューブ２０がその一端側から順次電線束１に外装されるとともに所定の位置まで電線束１に沿って軸線方向に送られる。
【００４４】
コルゲートチューブ２０のスリット２１が枝線部１ｂに対応する拡幅部２１ａを有する場合、その拡幅部２１ａに枝線部１ｂが収納可能な程度にコルゲートチューブ２０を押し込んだ後、コルゲートチューブ装着治具１０を電線束１に沿って枝線部１ｂから離れるように移動させつつ、拡幅部２１ａ内に枝線部１ｂを収納させる。
【００４５】
電線束１の他の枝線部１ｃが枝線部１ｂに近接していなければ、それ以後、コルゲートチューブ装着治具１０を電線束１に沿って移動させることで、コルゲートチューブ２０を他端側まで全長にわたって容易に装着することができる。
【００４６】
一方、電線束１の他の枝線部１ｃが枝線部１ｂに近接していた場合、コルゲートチューブ装着治具１０を第２凹状部１８が枝線部１ｃに係合する位置まで移動させた時点で、一対の側板部分１５、１６の一辺側部分１５ａ、１６ａを圧接させる保持状態を解き、一対の側板部分１５、１６の一辺側部分１５ａ、１６ａを所定間隔に離間する復帰姿勢に戻す。
【００４７】
この状態においては、コルゲートチューブ装着治具１０を枝線部１ｃを越えて枝線部１ｂ、１ｃから離隔する方向に移動させることができ、それ以後、コルゲートチューブ２０を他端側まで全長にわたって容易に装着することができる。
【００４８】
次に、作用を説明する。
【００４９】
上述のように構成された本実施の形態のコルゲートチューブ装着治具１０においては、電線束１に沿う一辺側部分１５ａ、１６ａで連結されない電線受け部１１の一対の側板部分１５、１６が、その一辺側部分１５ａ、１６ａで開閉可能となり、電線束１の幹線部１ａから複数の枝線部１ｂ、１ｃが近接して分岐しているような場合でも、枝線部１ｂ、１ｃの間でコルゲートチューブ装着治具１０の配置や移動が制限されずに済むことになる。
【００５０】
また、一対の側板部分１５、１６が、電線束１から離れる対向辺側部分１５ｂ、１６ｂであってガイドレール部１２Ｌ、１２Ｒの挿入端である挿入ガイド部１３の近傍で互いに一体に連結されているので、ガイドレール部１２Ｌ、１２Ｒの挿入端側をコルゲートチューブ２０に挿入した状態でも、一対の側板部分１５、１６を電線束１を受ける状態に対向配置でき、その状態で一対の側板部分１５、１６を片手で保持することができる。したがって、作業性がよい。
【００５１】
また、本実施形態では、電線受け部１１の一対の側板部分１５、１６は、電線束１に沿う一辺側部分１５ａ、１６ａの一端部１５ｃ、１６ｃによって、電線束１から分岐する枝線部１ｂまたは１ｃに電線束１の長さ方向の一方側から係合する第１凹状部１７を形成し、電線束１に沿う一辺側の他端部１５ｄ、１６ｄによって、電線束１から分岐する枝線部１ｃまたは１ｂに電線束１の長さ方向の他方側から係合する第２凹状部１８を形成している。
【００５２】
したがって、電線束１の幹線部１ａから分岐している二本の隣り合う枝線部１ｂ、１ｃの間にコルゲートチューブ装着治具１０を配置した場合に、その移動範囲が広がるとともに、各枝線部１ｂ、１ｃの分岐部分に対してコルゲートチューブ装着治具１０を容易に位置決めでき、作業性がよい。
【００５３】
さらに、本実施形態では、一対の側板部分１５、１６が、それらの対向辺側部分１５ｂ、１６ｂで一体に結合された合成樹脂製の弾性板部材によって構成されており、一辺側部分１５ａ、１６ａで所定間隔に離間する復帰姿勢と、一辺側部分１５ａ、１６ａで電線束１を間に挟んで対向する撓み姿勢とをとり得る。
【００５４】
したがって、コルゲートチューブ装着治具１０が、電線束１や、その電線束１の外周に巻かれた絶縁テープＴ、あるいは、電線束に装着するコルゲートチューブ２０等を傷付け難いものとなる。しかも、コルゲートチューブ装着治具１０を、低コストに、かつ、コルゲートチューブ装着作業に最適な形状に容易に成形できる。
【００５５】
このように、本実施形態においては、電線束１の幹線部１ａから複数の枝線部１ｂ、１ｃが近接して分岐しているような場合でも、隣り合う枝線部１ｂ、１ｃの間で配置や移動が制限されない、作業性に優れたコルゲートチューブ装着治具１０を提供することができる。
【００５６】
なお、上述の一実施の形態では、一対の側板部分１５、１６の双方が、電線束１に沿う一辺側部分１５ａ、１６ａで電線束１を受けるよう電線束１の周方向に湾曲しつつ互いに接近しているものとしたが、一対の側板部分１５、１６のうちいずれか一方が、電線束１に沿う一辺１５ａまたは１６ａ側で電線束１を受けるよう電線束１の周方向に湾曲した略Ｊ字形断面形状をなし、他方が電線束１を間に挟んで一対の側板部分１５、１６のうちいずれか一方と対向する形状をなしていてもよい。
【００５７】
また、上述の一実施の形態では、一対のガイドレール部１２Ｌ、１２Ｒの挿入端に一対の側板部分１５、１６の結合部分に沿う挿入ガイド部１３を独立して設けていたが、挿入ガイド部１３が無く、一対の側板部分１５、１６の結合部分が略逆Ｕ字形状に湾曲していてもよい。また、ガイドレール部１２Ｌ、１２Ｒの成形や曲げ加工を容易化するために、ガイドレール部１２Ｌ、１２Ｒのそれぞれを複数のガイド部に分断してもよい。
【００５８】
さらに、コルゲートチューブ装着治具１０は、一対の側板部分１５、１６を一辺側部分１５ａ、１６ａで開閉可能であれば、樹脂以外の素材で形成されてもよい。一対の側板部分１５、１６の一辺側部分１５ａ、１６ａにおける下向きフランジ状の圧接部分に切込みや曲げ形状追加して鉤状にしたり凹凸係合可能にしたりして、一辺側部分１５ａ、１６ａ同士をコルゲートチューブの装着作業の開始時に簡単に結合しておき、枝線部の分岐部分を乗り越える際や作業終了時にその結合を解くようにしてもよい。
【００５９】
以上説明したように、本発明は、電線束から複数の枝線部が近接して分岐しているような場合でも、隣り合う枝線部の間で配置や移動が制限されない、作業性に優れたコルゲートチューブ装着治具を提供することができるものである。かかる本発明は、イヤハーネスの電線束にコルゲートチューブを所定の外装姿勢に装着する際に用いるコルゲートチューブ装着治具全般に有用である。
【符号の説明】
【００６０】
１  ワイヤハーネスの電線束
１ａ  幹線部
１ｂ、１ｃ  枝線部
１ｆ  外周面
１０  コルゲートチューブ装着治具
１１  受け部
１２Ｌ、１２Ｒ  ガイドレール部
１３  挿入ガイド部
１５、１６  一対の側板部分
１５ａ、１６ａ  一辺側部分
１５ｂ、１６ｂ  対向辺側部分
１５ｃ、１６ｃ  一端部
１５ｄ、１６ｄ  他端部
１５ｅ、１６ｅ  貫通穴
１７  第１凹状部
１８  第２凹状部
２０  コルゲートチューブ
２１  スリット
２１ａ  拡幅部
【図１】
2016111737.tif 000003
【図２】
2016111737.tif 000004
【図３】
2016111737.tif 000005
【図４】
2016111737.tif 000006